(57)【要約】    【課題】貯留浸透能力が高く、機械的強度と軽量性とを兼ね備え、平面積及び容積を自在に変更し得る面板部材、構造体、及び、それらを用いた雨水等貯留浸透施設を提供する。    【解決手段】本発明に係る面板部材１０の基体部１００は、扁平状であって、相対向して平行する２辺Ｘ１、Ｘ２、Ｙ１、Ｙ２を有する。取付部１４は、基体部１００の外周の隅部に備えられ、２辺Ｘ１、Ｙ１を延長した線Ｘ０、Ｙ０の交差位置より低い取付面を有している。リブ１５は、基体部１００の面内に備えられている。構造体５０は、複数の面板部材１０と、連結部材５１とを含む。面板部材１０は、長さ方向Ｌに間隔Ｐを隔てて配置されている。連結部材５１は、面板部材１０それぞれの取付部１４に結合されている。雨水等貯留浸透施設は、構造体５０と透水層又は遮水層６０とを含む。透水層又は遮水層６０は、構造体５０の周囲に設けられている。【選択図】      図５
2005054403.tif 000002
【特許請求の範囲】
【請求項１】
基体部と、取付部と、リブとを含む雨水等貯留浸透施設用面板部材であって、
前記基体部は、扁平状であって、相対向して平行する２辺を少なくとも２組有し、
前記取付部は、前記基体部の外周の隅部に備えられ、前記相対向して平行する２辺を延長した線が交差する位置より低い取付面を有しており、
前記リブは、前記基体部の面内に備えられている
雨水等貯留浸透施設用面板部材。
【請求項２】
請求項１に記載された雨水等貯留浸透施設用面板部材であって、
前記基体部は、外枠部と、内板部とを含んでおり、
前記内板部は、扁平状であり、
前記外枠部は、前記内板部より厚みが大きく、その内周面において厚みの中間部に前記内板部が設けられており、
前記リブは、前記内板部の両面に備えられている
雨水等貯留浸透施設用面板部材。
【請求項３】
請求項１又は２の何れかに記載された雨水等貯留浸透施設用面板部材であって、さらに開孔部を有し、
前記開孔部は、前記基体部の面内に設けられている
雨水等貯留浸透施設用面板部材。
【請求項４】
複数の雨水等貯留浸透施設用面板部材と、連結部材とを含む雨水等貯留浸透施設用構造体であって、
前記複数の雨水等貯留浸透施設用面板部材のそれぞれは、基体部と、取付部とを含み、
前記基体部は、扁平状であって、相対向して平行する２辺を少なくとも２組有し、
前記取付部は、前記基体部の外周に備えられ、
前記複数の雨水等貯留浸透施設用面板部材は、長さ方向に間隔を隔てて配置されており、
前記連結部材は、配置された前記複数の雨水等貯留浸透施設用面板部材において、それぞれの前記取付部に結合されている
雨水等貯留浸透施設用構造体。
【請求項５】
請求項４に記載された雨水等貯留浸透施設用構造体であって、
前記取付部は、前記基体部の外周の隅部に備えられ、前記相対向して平行する２辺を延長した線が交差する位置より低い取付面を有している。
雨水等貯留浸透施設用構造体。
【請求項６】
請求項４又は５の何れかに記載された雨水等貯留浸透施設用構造体であって、前記複数の雨水等貯留浸透施設用面板部材のそれぞれは、さらにリブを含み、
前記リブは、前記基体部の面内に備えられている
雨水等貯留浸透施設用構造体。
【請求項７】
請求項４乃至６の何れかに記載された雨水等貯留浸透施設用構造体であって、
前記基体部は、外枠部と、内板部とを含んでおり、
前記内板部は、扁平状であり、
前記外枠部は、前記内板部より厚みが大きく、その内周面において厚みの中間部に前記内板部が設けられており、
前記リブは、前記内板部の両面に備えられている
雨水等貯留浸透施設用構造体。
【請求項８】
請求項４乃至７の何れかに記載された雨水等貯留浸透施設用構造体であって、前記複数の雨水等貯留浸透施設用面板部材のそれぞれは、さらに開孔部を有し、
前記開孔部は、前記基体部の面内に設けられている
雨水等貯留浸透施設用構造体。
【請求項９】
請求項４乃至８の何れかに記載された雨水等貯留浸透施設用構造体であって、さらに結合具を含み、
前記結合具は、楔状体を有し、
前記楔状体は、前記雨水等貯留浸透施設用面板部材と、前記連結部材とを結合している
雨水等貯留浸透施設用構造体。
【請求項１０】
請求項４乃至９の何れかに記載された雨水等貯留浸透施設用構造体であって、さらに側板を含み、
前記側板は、前記雨水等貯留浸透施設用構造体の外周面に設置されている
雨水等貯留浸透施設用構造体。
【請求項１１】
請求項４乃至１０の何れかに記載された雨水等貯留浸透施設用構造体であって、側板と、結合具とを含み、
前記雨水等貯留浸透施設用構造体は、複数が組み合わされており、
前記側板は、組み合わされた複数の前記雨水等貯留浸透施設用構造体の最外周面に設置されており、
前記結合具は楔状体を含み、前記楔状体は、前記側板と、前記雨水等貯留浸透施設用面板部材又は連結部材とを結合している
雨水等貯留浸透施設用構造体。
【請求項１２】
雨水等貯留浸透施設用構造体と、遮水層とを含む雨水等貯留浸透施設であって、
前記雨水等貯留浸透施設用構造体は、請求項４乃至１１のいずれかに記載されたものであって、地中に埋設されており、
前記遮水層は、前記雨水等貯留浸透施設用構造体の周囲に設けられている
雨水等貯留浸透施設。
【請求項１３】
雨水等貯留浸透施設用構造体と、透水層とを含む雨水等貯留浸透施設であって、
前記雨水等貯留浸透施設用構造体は、請求項４乃至１１のいずれかに記載されたものであって、地中に埋設されており、
前記透水層は、前記雨水等貯留浸透施設用構造体の周囲に設けられている
雨水等貯留浸透施設。
【請求項１４】
請求項１２または１３に記載された雨水等貯留浸透施設であって、
前記雨水等貯留浸透施設用構造体は複数であり、長さ方向、幅方向、及び、高さ方向に積み重ねられている
雨水等貯留浸透施設。
【発明の詳細な説明】
【技術分野】
【０００１】
本発明は、雨水等貯留浸透施設用面板部材、雨水等貯留浸透施設用構造体、及び、雨水等貯留浸透施設に関する。本発明に係る雨水等貯留浸透施設は、雨水等の貯留施設と、浸透施設との両者を含む。
【背景技術】
【０００２】
この種の雨水等貯留浸透施設は、集水した雨水等の貯留空間として地中に埋設される雨水等貯留施設と、集水した雨水等を一時的に貯留してのち、地中に緩やかに浸透させて排出する浸透施設とを含む。雨水等貯留浸透施設は、雨水等が、河川へ急激に流入することにより発生する都市型浸水災害を防止する目的や、地下水を涵養し地盤沈下を抑止する目的で、地中に埋設される。
【０００３】
上述した雨水等貯留浸透施設は、一般に、何らかの構造体を内蔵している。この種の雨水等貯留浸透施設用構造体に要求される特徴としては、まず、雨水等の貯留空間を可能な限り広く確保し得ることが求められる。特に、雨水等貯留浸透施設用構造体は、それ自体が薄型であって貯留空間内における占拠率が低いものでなければならない。同様に、雨水等貯留浸透施設用構造体は、貯留空間を広く効率的に利用するため、雨水等が、構造体の内部を円滑に流動しうることが求められる。
【０００４】
次に、雨水等貯留浸透施設用構造体は、一般に地中に埋設されるとともに、複数個が縦横に積層配置されて用いられる。従って、構造体は、雨水等貯留浸透施設の内部において、土圧等の押圧力や、積層されて生じる構造体相互間の荷重に十分耐えうる機械的強度を備えている必要がある。
【０００５】
また、雨水等貯留浸透施設用構造体が内蔵される貯留空間には、家庭用の小規模貯留施設から、公共用または工業用の大規模貯水施設まで幅広い需要が存在する。従って、雨水等貯留浸透施設用構造体は、長さ、幅及び高さ方向への寸法変更が自在で、平面積及び容積の違いに追従しうる構造を備える必要がある。
【０００６】
広い貯留空間を構成しようとする場合、雨水等貯留浸透施設用構造体は大量に必要となる。従って、雨水等貯留浸透施設用構造体が複数の構成部材からなる場合には、各構成部材は、容易に製造し得るものでなければならない。同様に、雨水等貯留浸透施設用構造体は大量に必要となるから、嵩張ることのない態様で輸送することができなければならない。さらに、雨水等貯留浸透施設用構造体は、各構成部材の組立作業を容易、且、迅速に実行し得るものでなければならない。
【０００７】
雨水等貯留浸透施設用構造体を大量に用いた場合、一旦、雨水等貯留浸透施設用構造体が設置されて後は、雨水等貯留浸透施設から雨水等貯留浸透施設用構造体を搬出することが困難である。従って、雨水等貯留浸透施設用構造体は、貯留空間内に設置された状態であっても、雨水等貯留浸透施設の保守管理を容易に実行できる構造を備えることが好ましい。
【０００８】
この種の雨水等貯留浸透施設用構造体について、従来より種々のタイプのものが提案され、実用に供されている。特許文献１は、地面を掘り下げて形成した貯水槽の内部に、合成樹脂製の構造体を縦横に並べると共に上下に積み重ねて充填し、貯水槽の上を被覆土で覆った雨水貯溜装置であって、上記の被覆土中に荷重分散用の面状材を１層以上埋設した雨水貯溜装置を開示している。
【０００９】
特許文献２は、多角柱形をなす外壁形状を有すると共に、内側に貯水可能な空洞を備え、土中に埋設可能な硬質樹脂発泡体製の貯水ブロックであって、前記多角柱形を構成する外壁の一面にかかる面圧を受け止める外壁面リブと、この外壁面リブに続き前記面圧を分散可能な斜方リブとを有する貯水ブロックを開示している。
【００１０】
特許文献３は、第１の雨水等貯留浸透施設用面板部材と、第２の雨水等貯留浸透施設用面板部材と、少なくとも２つの側板部材と、管リブ材とを含む雨水貯留浸透槽であって、前記第１の雨水等貯留浸透施設用面板部材は、面内に開孔部を有するとともに、少なくとも相対向する２辺に互いに対応する凹部及び凸部を有し、前記第２の雨水等貯留浸透施設用面板部材は、少なくとも相対向する２辺に互いに対応する凹部及び凸部を有し、前記第１の雨水等貯留浸透施設用面板部材と対向して配置され、前記側板部材のそれぞれは、面内に開孔部を有し、互いに対向して配置され、前記第１及び第２の雨水等貯留浸透施設用面板部材の一面と、凹凸嵌合により結合され、筒状組立体を構成し、前記管リブ材は、外枠部を有し、外枠部によって囲まれた面内に管挿通孔を有し、前記筒状組立体の内部に横切るように配置され、かつ、結合される管支持体雨水貯留浸透槽を開示している。
【００１１】
しかし、特許文献１〜３に記載の従来技術は、いずれも上述した問題点を充分に解決しているとはいえない。
【特許文献１】特開２０００−１９９２４６号公報
【特許文献２】特開２００１−１１５５０８号公報
【特許文献３】特開２００３−０３４９７１号公報
【発明の開示】
【発明が解決しようとする課題】
【００１２】
本発明の課題は、広い貯留空間を有し、雨水貯留浸透能力の高い雨水等貯留浸透施設用面板部材、雨水等貯留浸透施設用構造体、及び、雨水等貯留浸透施設を提供することである。
【００１３】
本発明のもう一つの課題は、優れた機械的強度を有するとともに、極めて軽量である雨水等貯留浸透施設用面板部材、雨水等貯留浸透施設用構造体、及び、雨水等貯留浸透施設を提供することである。
【００１４】
本発明の更にもう一つの課題は、製造成形作業、運搬作業、及び、組立作業を容易に、かつ、迅速に実行し得る雨水等貯留浸透施設用面板部材、雨水等貯留浸透施設用構造体、及び、雨水等貯留浸透施設を提供することである。
【００１５】
本発明の更にもう一つの課題は、長さ、幅及び高さの変更が自在で、様々に異なる施工条件に容易に追従し、平面積及び容積を自在に変更し得る雨水等貯留浸透施設用面板部材、雨水等貯留浸透施設用構造体、及び、雨水等貯留浸透施設を提供することである。
【課題を解決するための手段】
【００１６】
上述した課題を解決するため、本発明に係る雨水等貯留浸透施設用面板部材（以下、面板部材と称する）は、基体部と、取付部と、リブとを含む。前記基体部は、扁平状であって、相対向して平行する２辺を少なくとも２組有する。前記取付部は、前記基体部の外周の隅部に備えられ、前記相対向して平行する２辺を延長した線が交差する位置より低い取付面を有している。前記リブは、前記基体部の面内に備えられている。
【００１７】
上記の面板部材は、複数が組み合わされて雨水等貯留浸透施設用構造体(以下、構造体と称する)として用いられる。構造体は、複数の面板部材と、連結部材とを含む。前記複数の面板部材のそれぞれは、基体部と、取付部とを含む。前記基体部は、扁平状であって、相対向して平行する２辺を少なくとも２組有する。前記取付部は、前記基体部の外周に備えられている。前記複数の面板部材は、長さ方向に間隔を隔てて配置されている。前記連結部材は、配置された前記複数の面板部材において、それぞれの前記取付部に結合されている。
【００１８】
上記の構造体は、透水層又は遮水層とともに雨水等貯留浸透施設（以下、貯留浸透施設と称する）を構成する。前記構造体は、地中に埋設される。前記透水層又は遮水層は、前記構造体の周囲に設けられている。
【００１９】
上述したように、面板部材は、複数が組み合わされて構造体として用いられる。構造体は、複数の面板部材と、連結部材とを含む。複数の面板部材のそれぞれは、基体部と、取付部と、リブとを含む。基体部は、扁平状である。従って、面板部材は、貯留空間内における占拠率を低く抑えることができる。また、面板部材は、製造成形作業が容易に実行できる。さらに、面板部材は、軽量であるとともに、嵩張ることのない態様で輸送することができ、輸送コストを低減することができる。
【００２０】
リブは、基体部の面内に備えられている。従って、面板部材は、リブによる補強作用によって、優れた機械的強度を有する。
【００２１】
本発明に係る構造体は、複数の面板部材と、連結部材とを含む。複数の面板部材のそれぞれは、長さ方向に間隔を隔てて配置されている。従って、隣接する面板部材の間には空隙が生じるから、雨水等が空隙を通じて構造体の内部を円滑に流動することができる。
【００２２】
複数の面板部材のそれぞれは、基体部と、取付部とを含む。取付部は、基体部の外周に備えられている。連結部材は、配置された複数の面板部材において、それぞれの取付部に結合されている。従って、構造体は、連結部材の長さ寸法と、面板部材の設置数、及び、設置間隔を設定することにより、長さ寸法を自在に変更することができる。さらに、面板部材の寸法により幅及び高さの変更が自在であるから、構造体は様々に異なる施工条件に容易に追従し、平面積及び容積を自在に変更し得る。
【００２３】
取付部は、基体部の外周の隅部に備えられ、相対向して平行する２辺を延長した線が交差する位置より低い取付面を有している。従って、結合状態において取付部から連結部材が突出することを防止できるから、構造体の組立作業が容易になる。また、基体部は相対向して平行する２辺を少なくとも２組有するから、貯留浸透施設において、複数の構造体を容易に、且、安定して積み重ねることができる。
【００２４】
本発明に係る面板部材は、好ましい１つの態様として、基体部は、外枠部と、内板部とを含む。内板部は、扁平状である。外枠部は、内板部より厚みが大きく、その内周面において厚みの中間部に内板部が設けられている。リブは、内板部の両面に備えられている。更に好ましくは、面板部材は開孔部を有する。開孔部は、基体部の面内に設けられている。上述した構造によると、面板部材、及び、これを用いた構造体は、機械的強度を確保しつつ、軽量化することができる。また、構造体は、開孔部を通じて構造体内部の清掃等の保守管理を容易に行うことができる。
【００２５】
本発明に係る構造体は、好ましいもう１つの態様として、結合具を含む。結合具は、楔状体を含む。楔状体は、面板部材と、連結部材とを結合している。従って、構造体は組立作業が容易である。また、複数の面板部材を容易に結合することができるから、施工条件に迅速に追従し、平面積及び容積を自在に変更し得る。
【００２６】
本発明に係る構造体は、好ましいもう１つの態様として、複数個が用いられ、さらに側板と、結合具とを含む。構造体は、複数が組み合わされている。側板は、組み合わされた複数の構造体の最外周面に設置されている。結合具は楔状体を含み、楔状体は、側板と、面板部材又は連結部材とを結合している。従って、構造体は優れた機械的強度を有することができる。
【００２７】
側板は、結合具により結合されるから、組立作業が容易である。また、側板は、組み合わされた複数の構造体において、その外周面に設置されているから組立が容易であるとともに、様々に異なる施工条件に容易に追従し、平面積及び容積を自在に変更し得る。
【００２８】
上記の構造体は、透水層又は遮水層との組み合わせにより、貯留浸透施設を構成する。構造体は、地中に埋設される。透水層又は遮水層は、構造体の周囲に設けられる。
【００２９】
本発明にかかる貯留浸透施設は、上述した面板部材及び構造体を含む。従って、上述した面板部材及び構造体の利点を全て有する。
【００３０】
貯留浸透施設は、透水層又は遮水層を有する。透水層又は遮水層は、構造体の周囲に設けられている。透水層を用いた場合は雨水等浸透施設が構成され、遮水層を用いた場合は雨水等貯留施設が構成される。従って、貯留浸透施設を容易に設置することができる。
【００３１】
本発明の他の目的、構成及び利点については、添付図面を参照し、更に詳しく説明する。添付図面は、単に、例示に過ぎない。
【発明の効果】
【００３２】
以上述べたように、本発明によれば、次のような効果を得ることができる。
（ａ）広い貯留空間を有し、雨水貯留浸透の能力の高い面板部材、構造体、及び、貯留浸透施設を提供することができる。
（ｂ）優れた機械的強度を有するとともに、極めて軽量である面板部材、構造体、及び、貯留浸透施設を提供することである。
（ｃ）製造成形作業、運搬作業、及び、組立作業を容易に、かつ、迅速に実行し得る面板部材、構造体、及び、貯留浸透施設を提供することができる。
（ｄ）長さ、幅及び高さの変更が自在で、様々に異なる施工条件に容易に追従し、平面積及び容積を自在に変更し得る面板部材、構造体、及び、貯留浸透施設を提供することができる。
【発明を実施するための最良の形態】
【００３３】
図１は本発明に係る面板部材の斜視図、図２は図１の２−２線に沿った断面図である。図１を参照すると、面板部材は、基体部１００と、取付部１４と、リブ１５とを含む。面板部材は、通常は合成樹脂材料でなる。用いられる合成樹脂材料としては、成形容易性、加工容易性、及び、組み立て容易性の観点から、ポリプロピレン（ＰＰ）、またはポリ塩化ビニル（ＰＶＣ）等が一般的である。
【００３４】
基体部１００は、扁平状であって、好ましくは平面正方形形状に成形され、相対向して平行する２辺Ｘ１、Ｘ２及びＹ１、Ｙ２の少なくとも２組を有する。より詳細に説明すると、基体部１００は、外枠部１１０と、内板部１２０とを含む断面Ｈ形状を有する。内板部１２０は、扁平状である。外枠部１１０は内板部１２０より厚みが大きく、その内周面において厚みの中間部に内板部１２０が設けられている（図２参照）。上述した構造によると、面板部材の機械的強度が向上する。但し、基体部１００は必ずしも正方形に限定されない。相対向して平行する２辺Ｘ１、Ｘ２及びＹ１、Ｙ２の少なくとも２組を有するものであれば、基体部１００は、長方形であってもよいし、８角形形状や、円形形状であってもよい。面板部材は、厚みの異なる外枠部１１０と内板部１２０とを有することにより、機械的強度を確保しつつ、軽量化を図ることができる。
【００３５】
面板部材は、複数のリブ１５を有する。複数のリブ１５のそれぞれは、基体部１００の面内であって、内板部１２０の両面に備えられ、且、一端が基体部１００の外枠部１１０に接続する。図２を参照すると、内板部１２０は、基体部１００の厚みの中間部分に設置されており、外枠部１１０及び隣接するリブ１５それぞれを結合されている。上述した構造によると、面板部材は、優れた機械的強度を有する。
【００３６】
図３は本発明に係る面板部材の別の実施例の構造を示す断面図である。図３を参照すると、外枠部１１０は、その内周面において厚みの中間部以外の部分に内板部１２０が設けられており、且、リブ１５は内板部１２０の一方面上に備えられる。リブ１５は、面板部材の軽量化に際し、機械的強度を確保するために備えられるから、必ずしも、内板部１２０の両面に設ける必要はない。リブ１５は、基体部１００の成形時に一体的に成形されてもよいし、基体部１００の成形後に付加されてもよい。図３とは異なり、隣接するリブ１５間に内板部１２０が備えられなくともよい。
【００３７】
上述した面板部材は、その複数が連結部材と組み合わされて構造体を構成する。次に、本発明に係る面板部材を用いた構造体について説明する。図４は本発明に係る構造体の分解構造図、図５は図４に示した構造体の組み立て状態を示す斜視図である。
【００３８】
図４及び図５を参照すると、構造体は、５枚の面板部材１０と、４つの連結部材５１とを含む。複数の面板部材１０のそれぞれは、図１乃至図３に記載されたものでなるから、同一の参照符号を付し、重複説明を省略する。
【００３９】
図４を参照すると、複数の面板部材１０は、矢印Ｌで示す長さ方向に間隔Ｐを隔てて配置されている。それぞれの取付部１４には、連結部材５１が、長さ方向Ｌに連続して載置しうるように位置決めされている。図示する連結部材５１は、所謂コーナーアングル材である。連結部材５１は、予め設置される面板部材１０の取付部１４の形状と適合するように成形されている。面板部材１０の枚数及び間隔Ｐは、予想される荷重に応じて選定される。荷重が大きくなるほど、単位長さあたりの面板部材１０の枚数が増え、間隔Ｐが狭くなる。
【００４０】
図５を参照すると、複数の面板部材１０は、それぞれの取付部１４に連結部材５１が長さ方向Ｌに連続して載置されており、連結部材５１と、取付部１４及び基体部１００とが相互に結合されている。より詳細に説明すると、図示する構造体は、結合具５２を含む。結合具５２は、楔状体を有し、連結部材５１に打設される。その結果、楔状体は、先端部が連結部材５１を貫通し、取付部１４の内部に打ち込まれ、これにより、面板部材１０と連結部材５１とが、強固に結合される。上述した結合構造の利点は、容易に、且、迅速に構造体の組立作業を行い得る点にある。結合具５２は、必ずしも楔状体に限定されず、例えば、接着剤の塗布や、熱溶着、その他ビス止め等の手段によってもよい。
【００４１】
取付部１４は、基体部１００の外周、または、外枠部１１０の隅部に備えられ、相対向して平行する２辺Ｘ１、Ｘ２及びＹ１、Ｙ２を延長した線Ｘ０、Ｙ０が交差する位置より低い取付面を有している。図示する取付部１４の切欠構造は、例示である。取付部１４は、凹凸嵌合等の結合構造を備えることもできる。また、取付部１４の切欠寸法の具体的な設定は、後述する連結部材との対応により決定される。
【００４２】
本発明に係る面板部材１０は、基体部１００が、扁平状である。従って、面板部材１０は、貯留浸透施設に用いられた場合に、貯留空間内における占拠率を低く抑えることができる。また、面板部材１０は、プレス成形の可能な扁平形状を有するから、容易に製造できる。さらに、面板部材１０は、軽量であるとともに、嵩張ることのない態様で輸送することができ、輸送コストを低減することができる。
【００４３】
リブ１５は、基体部１００の面内に備えられている。従って、面板部材１０は、基体部１００が薄型化または軽量化されたとしても、優れた機械的強度を確保することができる。
【００４４】
複数の面板部材１０のそれぞれは、取付部１４とを含む。取付部１４は、基体部１００の外周に備えられている。連結部材５１は、配置された複数の面板部材１０において、それぞれの取付部１４に結合されている。従って、構造体は、連結部材５１の長さ寸法と、面板部材１０の設置数、及び、間隔Ｐを設定することにより、長さ寸法を自在に変更することができる。
【００４５】
取付部１４は、好ましくは基体部１００の外周の隅部に備えられ、相対向して平行する２辺Ｘ１、Ｘ２及びＹ１、Ｙ２を延長した線Ｘ０、Ｙ０が交差する位置より低い取付面を有している。従って、結合状態において取付部１４から連結部材５１が突出することを防止できるから、構造体の組立作業が容易になる。
【００４６】
構造体は、結合具５２を含む。結合具５２は、楔状体を含む。楔状体は、面板部材１０と、連結部材５１とを結合している。従って、構造体は組立作業が容易である。同様に、広い貯留空間を構成しようとする場合、大量の面板部材１０を容易に組立てすることにより様々に異なる施工条件に対して平面積及び容積を自在に変更し、容易に追従することができる。
【００４７】
構造体は、複数の面板部材１０と、連結部材５１とを含む。複数の面板部材１０のそれぞれは、長さ方向Ｌに間隔Ｐを隔てて配置されている。従って、図示する構造体を、貯留浸透施設に用いた場合、雨水等は間隔Ｐを通じて構造体の内部を円滑に流動し得る。
【００４８】
図６は本発明に係る構造体の別の実施例を示す斜視図である。構造体５０は、複数が組み合わされている。複数の構造体５０のそれぞれは、図５に記載されたものでなるから、同一の参照符号を付し、重複説明を省略する。
【００４９】
図５を参照して説明したように、構造体５０は、面板部材１０の寸法により幅及び高さの変更が自在であるから、様々に異なる施工条件に容易に追従し、平面積及び容積を自在に変更し得る。
【００５０】
また、構造体５０は、優れた機械的強度を有するから、複数個を縦横に積層配置することができる。従って、構造体５０は、様々に異なる施工条件に容易に追従し、平面積及び容積を自在に変更し得る。
【００５１】
構造体５０の構成部材たる面板部材１０が、相対向して平行する２辺Ｘ１、Ｘ２及びＹ１、Ｙ２の少なくともを２組有するから、貯留浸透施設において、その複数個を、縦、及び横に並べ、安定して積層配置をとり、要求に応じた雨水等貯留浸透空間を形成することができる。
【００５２】
しかも、面板部材１０は、取付部１４が、基体部１００の外枠部１１０の隅部に備えられ、２辺Ｘ１、Ｘ２及びＹ１、Ｙ２を延長した線Ｘ０、Ｙ０が交差する位置より低い取付面を有する。従って、結合状態たる構造体５０においても、相対向して平行する２辺Ｘ１、Ｘ２及びＹ１、Ｙ２から連結部材５１が突出することを防止できる。上述したように、２辺Ｘ１、Ｘ２及びＹ１、Ｙ２、及び、それらを延長した線Ｘ０、Ｙ０には凹凸が生じないから、構造体５０は、貯留浸透施設において複数用いられた場合であっても、安定して積み重ねることができる。
【００５３】
図７は、本発明に係る構造体の更に別の実施例を示す斜視図である。また、図８は図７に示した構造体に用いられる側板の平面図、図９は図８の９−９線に沿った断面図である。図７に示す複数の構造体５０のそれぞれは、図６に示した構造体５０と、側板５３と、結合具５２とを含む。
【００５４】
図７を参照すると、側板５３は、平面長方形形状の板状体であって、好ましくは面板部材１０及び連結部材５１と同様に、合成樹脂材料でなる。
【００５５】
側板５３は、組み合わされた複数の構造体５０の最外周面に設置されている。側板５３は、取付部５３１と、貫通孔５３２とを有する。貫通孔５３２は、側板５３の面内に備えられ、通水孔をとして機能するとともに、側板５３を軽量化するために備えられている。従って、貫通孔５３２の設置数は設計的事項に属する。また、図９に示すように、側板５３は、好ましくは軽量化のために格子構造を有する。
【００５６】
図示する取付部５３１は、側板５３の厚み方向に切欠けられた構造であって、側板５３の外周上に設置されている。結合具５２は、楔状体を含む。結合具５２は、取付部５３１において側板５３を貫通し、側板５３と、面板部材１０又は連結部材５１とを結合している。取付部５３１は、結合具５２に楔状体を用いた場合に、貫通距離を短くすることで打設作業を容易に実行するとともに、組み合わされた場合に、楔の端部が突出することを防止している。上述したように取付部５３１は結合具５２を設置するために側板５３に備えられるから、設置箇所や、設置数は設計的事項に属する。
【００５７】
上述した構造によると、側板５３は平面長方形形状の板状体であるから、面板部材１０と同様に嵩張らない態様で運搬することができる。なお、側板５３の平面長方形形状は、設置される構造体５０の形状に合わせて成形することができる。
【００５８】
側板５３が最外周面を被覆する構造によると、構造体５０は機械的強度が向上するとともに、内部へのゴミや土砂等の浸入を防止することができる。図示する構造体５０は、長さ方向Ｌに側板５３を有していないが、例示に過ぎない。
【００５９】
結合具５２は、上述した連結部材５１に用いられるものと同様のものを用いることもできる。従って、図４乃至図６を参照して説明したように、構造体５０の組立作業を容易に実行することができる。同様に、構造体５０は、優れた機械的強度を有することができる。
【００６０】
図１０は、本発明に係る貯留浸透施設の断面図である。図示する貯留浸透施設は、構造体５０と、透水層６０とを含む。
【００６１】
構造体５０は、図１乃至図９を参照して説明したものである。従って、図１乃至図９の説明で述べた全ての利点が、上述した貯留浸透施設でも得られることは明らかである。
【００６２】
構造体５０は、地中に埋設されている。４０はグランドラインを示す。図示する貯留浸透施設は、流入／流出管７０を含む。流入／流出管７０は、一般に、別異の装置で集水した雨水等を、貯留浸透施設内に注入する機能、及び、必要に応じて貯留中の雨水等を施設外へ排出する機能を有する。
【００６３】
透水層６０は、通常、不織布等の周知の透水性素材を含み、設置穴の内壁面と、構造体５０の外周面との間に設けられる。透水層６０は、施設内部に対する異物混入を防止すると共に、貯留された雨水等の排出部として機能する。これに対し、貯留浸透施設が貯留施設である場合、遮水層６０が備えられる。これは、雨水等の貯留を主目的としていることに起因する。
【００６４】
構造体５０の上部には、好ましくは保護層３０が設けられる。保護層３０は、通常、土、砂利、コンクリート、または、アスファルト等を含み、主に地表面からの押圧力、または、衝撃に耐えるとともに、施設内部への異物混入を防止する機能を有する。
【００６５】
上述した構造によると、構造体５０において、複数の面板部材１０のそれぞれは、空間占拠率の低い形状及び構造を有するとともに、長さ方向Ｌに間隔Ｐを隔てて配置されている。従って、貯留浸透施設は、広い貯留空間を効率的に利用することができる。
【００６６】
構造体５０は、複数個が用いられ、好ましくは、側板５３と、結合具５２とを含む。側板５３は、組み合わされた複数の構造体５０の最外周面に設置されている。結合具５２は楔状体を含み、楔状体は、側板５３と、面板部材１０又は連結部材５１とを結合している。従って、構造体５０は優れた機械的強度を有することができる。
【００６７】
側板５３は、結合具５２により結合されるから、組立作業が容易である。また、側板５３は、組み合わされた複数の構造体５０において、その外周面に設置されているから組立が容易であるとともに、様々に異なる施工条件に容易に追従し、平面積及び容積を自在に変更し得る。
【００６８】
図１１は本発明に係る面板部材の更に別の実施例を示す斜視図、図１２は本発明に係る構造体の更に別の実施例を示す斜視図である。
【００６９】
図１１及び図１２に示す面板部材１０は、図１乃至図１４に示した面板部材１０とは異なり、取付部１４が、略直角に切欠けられている。既に述べたように、取付部１４は、基体部１００の外枠部１１０の隅部に備えられ、相対向して平行する２辺Ｘ１、Ｘ２及びＹ１、Ｙ２を延長した線Ｘ０、Ｙ０が交差する位置より低い取付面を有する構造により、結合状態において取付部１４から連結部材５１が突出することを防止できる。従って、図示する取付部の構造１４によっても同様の作用効果を得ることができる。
【００７０】
また、連結部材５１として図示するアングル材を用いる利点は、複数の取付面を一つの部材により結合することで、特にねじれ方向に発生する押し圧力に対する機械的強度を向上しうる点にある。従って、図示するように、取付部１４が直角に切欠けられている場合においても、図１乃至図１４に示した連結部材５１を反転して用いることにより、複数の面板部材１０を連結することができる。さらに、連結部材５１は取付部１４の形状に応じて設計することができるから、例えば、連結部材５１に角柱状のものを用いることによっても、同様の効果を得ることができる。
【００７１】
図１３は本発明に係る面板部材の更に別の実施例を示す斜視図、図１４は図１３の１４−１４線に沿った断面図である。図１３及び図１４に示す面板部材１０は、図１乃至図１２に示す面板部材１０とは開孔部１３を有する点で異なる。
【００７２】
開孔部１３は、基体部１００の面内に設けられており、孔１３０を有する。孔１３０は、面板部材１０の一面側から他面側に貫通している。従って、面板部材１０は、総重量を軽量化することができる。
【００７３】
また、図示する孔１３０は略真円状である。孔１３０が略真円状である構造によると、面板部材１０にいかなる方向から押し圧力が加えられたとしても、これを分散して支持することができる。従って、面板部材１０は、総重量の軽量化とともに、優れた機械的強度を有する。
【００７４】
さらに、孔１３０の寸法を１５００ｍｍ程度に設定することにより、構造体５０に用いられた場合の保守管理を容易に行うことができる。
【００７５】
図１４を参照すると、内板部１２０は、基体部１００の厚みの中間部分に設置されており、開孔部１３、基体部１００及び複数の隣接するリブ１５それぞれに結合されている。
【００７６】
また、複数のリブ１５のそれぞれは、一端が基体部１００の外枠部１１０に接続するとともに、他端が開孔部１３に接続する構造を含む。リブ１５は、面板部材１０の成形時に一体的に成形されてもよいし、面板部材１０成形後に付加されてもよい。上述した構造によると、面板部材１０は優れた機械的強度を有するとともに、内板部１２０は開孔部１３、基体部１００及び隣接するリブ１５よりも薄型であるから、面板部材１０を軽量化することができる。但し、図２に示したように、内板部１２０の一面側のみにリブ１５を備えることもできる。
【００７７】
さらに、図示する内板部１２０は、その面内には貫通孔１２１が備えられている。貫通孔１２１を設けることにより、更なる軽量化と、面板部材１０が後述する貯留浸透施設に用いられた場合に貯水効率の向上することができる。
【００７８】
図１５は、本発明に係る構造体の更に別の実施例を示す斜視図である。図１５に示す構造体は、図１３及び図１４に示した面板部材１０を含む。さらに、図１５に示す構造体は、図５に示した構造体とは、用いられる面板部材１０の構造が異なるのみである。従って、図１５に示す構造体は、図５に示した構造体の利点と、図１３及び図１4を参照して説明した面板部材１０の利点と兼ね備えている。
【００７９】
図１６は本発明に係る貯留浸透施設の更に別の実施例を示す平面図、図１７は図１６の１７−１７線に沿った断面図である。図示する貯留浸透施設は、構造体５０と、透水層６０とを含む。図１６及び図１７に示す貯留浸透施設に関し、図１０に示した貯留浸透施設と重複する部分については、同一の参照符号を付し説明を省略する。
【００８０】
また、構造体５０は、図１３乃至図１５を参照して説明したものである。従って、図１３乃至図１５の説明で述べた全ての利点が、上述した貯留浸透施設でも得られることは明らかである。
【００８１】
図１６を参照すると、貯留浸透施設は、マンホール８０を含む。マンホール８０は、蓋８１と、ステップ８２と、接続孔８３とを有する。これらは、当該技術分野において、周知の構成部分であるから、詳細は省略する。マンホール８０は、好ましくは構造体５０に隣接して設置されており、少なくとも構造体５０の開孔部１３に適合する位置に、接続孔８３が設けられている。
【００８２】
図１６及び図１７からは必ずしも明らかでないが、一般に貯留浸透施設は流入／流出管を含む。流入／流出管は、別異の装置で集水した雨水等を、貯留浸透施設内に流入し、又は、貯留浸透施設から流出させる機能を有する。
【００８３】
図１６及び図１７に示した貯留浸透施設は、構造体５０を含む構造により、図１乃至図１５に示した面板部材１０、及び、構造体５０の利点を全て有する。例えば、開孔部１３は、孔１３０を有し、基体部１００により支持されている。従って、面板部材１０は総重量を軽量化することができるとともに、基体部１００に加えられる押し圧力を開孔部１３により分散して支持することができるから、優れた機械的強度を得ることができる。また、面板部材１０は、複数を組み合わせて構造体５０を構成した場合にも、開孔部１３を通じて雨水等が流動することができるから、貯留空間を効率的に広く利用することができる。
【００８４】
さらに、貯留浸透施設は長期間の使用により、ゴミや泥等が底部に沈殿残留する。開孔部１３は、好ましくは直径１５００ｍｍ程度に設計されており、隣接するマンホール８０の接続孔８３は開孔部１３に適合するように成形され、両者は連通しているから、作業員が開孔部１３を通して構造体５０内部のゴミや泥の除去等の保守管理を行うことができる。
【００８５】
図１８は本発明に係る面板部材の更に別の実施例を示す斜視図である。図１３乃至図１７を参照して説明したように、面板部材が、開孔部１３、及び、孔１３０を有する構造によると、総重量を軽量化することができるとともに、優れた機械的強度を得ることができる。また、開孔部１３を通じて雨水等が流動することができるから、貯留空間を効率的に広く利用することができる。さらに、孔１３０の内径寸法を１５００ｍｍ程度に設定することにより、構造体５０に用いられた場合の保守管理を容易に行うことができる。上述したように孔１３０は、主として面板部材１０の軽量化のために備えられるものであるから、上述した課題を解決しうる限り、開孔部１３の具体的形状は、他の補強構造を備える等することにより、図１８に示すような楕円形形状のほかにも、多角形形状とすることもできる設計的事項に属する。
【００８６】
図１９は本発明に係る面板部材の更に別の実施例を示す斜視図、図２０は本発明に係る雨水等処理の更に別の実施例を示す斜視図である。図１９に示す面板部材１０は、図１乃至図１８に示した面板部材１０とは異なり、基体部１００の平面形状が円形状になっており、その円周上に別途相対向して平行する２辺Ｘ１、Ｘ２及びＹ１、Ｙ２と、取付部１４が備えられている。既に説明したように、面板部材１０は、基体部１００は扁平状であることにより、貯留空間内における占拠率を低く抑えるとともに、嵩張ることのない態様で輸送することができる。従って、基体部１００の外形形状は、正方形形状や、多角形形状に限定されず、図１９に示す様に円形形状であってもよい。
【００８７】
また、面板部材１０は、複数が構造体に用いられた場合に、長さ方向に連続して配置され、取付部１４と、連結部材５１とが相互に結合することが可能であれば、取付部１４が外枠部１１０の形状含まれるか否かは、設計的事項である。
【００８８】
同様に、基体部１００は相対向して平行する２辺Ｘ１、Ｘ２及びＹ１、Ｙ２の少なくともを２組有する構造により、貯留浸透施設において、複数の構造体５０を容易に、且、安定して積み重ねることができる。上述した効果を得られれば、相対向して平行する２辺Ｘ１、Ｘ２及びＹ１、Ｙ２が基体部１００の一部であるか、基体部１００の外形形状または構造とは別途設けられているかは、設計的事項である。
【００８９】
図１９に示した面板部材１０は、図１乃至図１８に説明した構造により、構造体５０に組み合わされ、図２０に示す様に貯留浸透施設に用いられる。図２０を参照すると、図１及び図１８に示した貯留浸透施設とは異なり、面板部材１０が円筒形状であるから、隣接する構造体５０の相互間に空隙が生じている。従って、貯留浸透施設は、広い貯留空間を有することができる。
【００９０】
図２１は本発明に係る面板部材の更に別の実施例を示す斜視図、図２２は図２１の２２−２２線に沿った断面図、図２３は図２１の２３−２３線に沿った断面図である。図２１乃至図２３に示した面板部材１０は、図１乃至図２０に説明した構造により、構造体５０に組み合わされ、且、貯留浸透施設に用いられる。
【００９１】
図２１乃至図２３に示す面板部材は、貫通孔１２１を４つ有する。そして貫通孔１２１のそれぞれは、図１３及び図１４に示す面板部材１０の貫通孔１２１とは異なり、リブ１５により区画される内板部１２０の全面内に渡って備えられている。従って、図２１乃至図２３に示す貫通孔１２１は、図１３乃至図２０に示した面板部材１０に備えられた開孔部１３及び孔１３０と同様の効果を有することができる。
【００９２】
以上、好ましい実施例を参照して本発明の内容を具体的に説明したが、本発明の基本的技術思想及び教示に基づいて、当業者であれば、種種の変形態様を採り得ることは自明である。
【図面の簡単な説明】
【００９３】
【図１】本発明に係る面板部材の斜視図である。
【図２】図１の２−２線に沿った断面図である。
【図３】図２について別の構造例を示す断面図である。
【図４】本発明に係る構造体の分解構造図である。
【図５】図４に示した構造体の組み立て斜視図である。
【図６】本発明に係る構造体の別の実施例を示す斜視図である。
【図７】本発明に係る構造体の更に別の実施例を示す斜視図である。
【図８】図７に示した構造体に用いられる側板の平面図である。
【図９】図８の９−９線に沿った断面図である。
【図１０】本発明に係る貯留浸透施設の断面図である。
【図１１】本発明に係る面板部材の更に別の実施例を示す斜視図である。
【図１２】本発明に係る構造体の更に別の実施例を示す斜視図である。
【図１３】本発明に係る面板部材の更に別の実施例を示す斜視図である。
【図１４】図１３の１４−１４線に沿った断面図である。
【図１５】本発明に係る構造体の更に別の実施例を示す斜視図である。
【図１６】本発明に係る貯留浸透施設の更に別の実施例を示す平面図である。
【図１７】図１６の１７−１７線に沿った断面図である。
【図１８】本発明に係る面板部材の更に別の実施例を示す斜視図である。
【図１９】本発明に係る面板部材の更に別の実施例を示す斜視図である。
【図２０】本発明に係る貯留浸透施設の更に別の実施例を示す斜視図である。
【図２１】本発明に係る面板部材の更に別の実施例を示す斜視図である。
【図２２】図２１の２２−２２線に沿った断面図である。
【図２３】図２１の２３−２３線に沿った断面図である。
【符号の説明】
【００９４】
１０                    面板部材
１００                  基体部
１１０                  外枠部
１２０                  内板部
１３                    開孔部
１４                    取付部
１５                    リブ
Ｘ１、Ｘ２、Ｙ１、Ｙ２  相対向して平行する２辺
Ｘ０、Ｙ０              延長した線
５０                    構造体
５１                    連結部材
５２                    結合具
５３                    側板
６０                    透水層又は遮水層
Ｌ                      長さ方向
Ｐ                      間隔
【図１】
2005054403.tif 000003
【図２】
2005054403.tif 000004
【図３】
2005054403.tif 000005
【図４】
2005054403.tif 000006
【図５】
2005054403.tif 000007
【図６】
2005054403.tif 000008
【図７】
2005054403.tif 000009
【図８】
2005054403.tif 000010
【図９】
2005054403.tif 000011
【図１０】
2005054403.tif 000012
【図１１】
2005054403.tif 000013
【図１２】
2005054403.tif 000014
【図１３】
2005054403.tif 000015
【図１４】
2005054403.tif 000016
【図１５】
2005054403.tif 000017
【図１６】
2005054403.tif 000018
【図１７】
2005054403.tif 000019
【図１８】
2005054403.tif 000020
【図１９】
2005054403.tif 000021
【図２０】
2005054403.tif 000022
【図２１】
2005054403.tif 000023
【図２２】
2005054403.tif 000024
【図２３】
2005054403.tif 000025